(57)【要約】【課題】本発明は撮像レンズ分野に関し、レンズモジュールを提供する。【解決手段】レンズモジュールは、鏡筒と、像側から物体側へ順次に前記鏡筒内に収容された第１レンズと遮光部材と第２レンズとを備え、前記遮光部材は、前記第１レンズに当接する第１支持部と、前記第２レンズに当接する第２支持部と、前記鏡筒に当接する接続部とを備え、前記接続部は、前記第１支持部と前記第２支持部にそれぞれ接続され、前記第１レンズは、前記第１支持部を押し付けて、第２支持部を、前記第２レンズに近づく方向に向かって移動させることにより、前記第２支持部は前記第２レンズを押し付ける。本発明に提供されたレンズモジュールは、内部構造の安定性を向上させることができる。【選択図】図１
2019139217.tif 000002
【特許請求の範囲】
【請求項１】
鏡筒と、像側から物体側へ順次に前記鏡筒内に収容された第１レンズと遮光部材と第２レンズとを備えるレンズモジュールであって、
前記第１レンズの外径は、前記第２レンズの外径より大きく、前記遮光部材は、前記第１レンズに当接する第１支持部と、前記第２レンズに当接する第２支持部と、前記鏡筒に当接する接続部とを備え、前記接続部は、前記第１支持部と前記第２支持部にそれぞれ接続され、前記第１レンズは、前記第１支持部を押し付けて、前記第２支持部を、前記第２レンズに近づく方向に向かって移動させることにより、前記第２支持部は前記第２レンズを押し付けることを特徴とするレンズモジュール。
【請求項２】
前記第２支持部は、前記接続部に接続された傾斜部と、前記第２レンズに密着する水平部とを備え、前記傾斜部は、前記接続部から物体側に近づく方向に向かって光軸に対して傾斜延在し、前記水平部は、前記傾斜部から、光軸に近づく方向であって光軸に垂直な方向に向かって延在し、前記第１支持部は、前記接続部の前記傾斜部より離れた側から光軸に向かって延在していることを特徴とする請求項１に記載のレンズモジュール。
【請求項３】
前記第１支持部は、物体側に近い第１物体側面と、前記第１物体側面と対向して設けられ、像側に近い第１像側面と、前記第１物体側面の光軸に近接する縁から光軸に近づく方向に向かって前記第１像側面まで傾斜延在する第１接続面とを備えることを特徴とする請求項２に記載のレンズモジュール。
【請求項４】
前記水平部は、物体側に近い第２物体側面と、前記第２物体側面に対向して設けられ、像側に近い第２像側面と、第２物体側面の光軸に近接する縁から光軸に近づく方向に向かって前記第２像側面まで傾斜延在する第２接続面とを備えることを特徴とする請求項２に記載のレンズモジュール。
【請求項５】
前記第１支持部と前記第１レンズとの接触面積は、前記第２支持部と前記第２レンズとの接触面積より大きいことを特徴とする請求項２に記載のレンズモジュール。
【請求項６】
前記第２支持部は、前記接続部に接続される傾斜部であり、前記傾斜部は、前記接続部から物体側に近づく方向に向かって光軸に対して傾斜延在し、前記第１支持部は、前記接続部の前記傾斜部に近接する交差箇所から像側に向かって延在していることを特徴とする請求項１に記載のレンズモジュール。
【請求項７】
前記接続部は、リング状を呈していることを特徴とする請求項２または６に記載のレンズモジュール。
【請求項８】
前記第１支持部及び前記第２支持部は、リング状を呈していることを特徴とする請求項７に記載のレンズモジュール。
【請求項９】
前記遮光部材は、黒化処理された遮光部材であることを特徴とする請求項１に記載のレンズモジュール。
【請求項１０】
前記遮光部材の材質は、金属であることを特徴とする請求項１に記載のレンズモジュール。
【発明の詳細な説明】
【技術分野】
【０００１】
本発明は撮像レンズ分野に関し，特にレンズモジュールに関する。
【背景技術】
【０００２】
近年、科学技術が絶えずに進歩しているにつれて、電子機器が絶えずにスマート化に向かって発展していき、デジタルカメラ以外に、携帯型電子機器、例えばタブレットパソコン、携帯電話などにもレンズモジュールが配置されている。使用者の使用需要を満たすために、レンズモジュールで撮像された映像の品質が、より高く要求されている。従来技術では、レンズモジュールはレンズ鏡筒と、レンズ鏡筒内に設けられた複数のレンズを備え、複数のレンズが重ねって設けられるものである。
【発明の概要】
【発明が解決しようとする課題】
【０００３】
本発明の発明者は以下の問題を発見した。即ち、レンズは通常、中央位置にある光学結像領域と光学結像領域の周りに設けられた支持領域とを備えるものである。外径の差が大きい隣接レンズがある場合、外径の大きいレンズの支持領域は外径の小さいレンズに正対することができないため、隣接レンズの間に良好な押付効果がなく、レンズモジュールの内部構造の安定性が高くない。したがって、上記の問題を解決するために、新型のレンズモジュールを提供する必要がある。
【課題を解決するための手段】
【０００４】
本発明は、内部構造の安定性が高いレンズモジュールを提供することを目的とする。
【０００５】
上記技術的問題を解決するために、本発明の実施形態により、レンズモジュールが提供され、このレンズモジュールは、鏡筒と、像側から物体側へ順次に前記鏡筒内に収容された第１レンズと遮光部材と第２レンズとを備え、前記第１レンズの外径は前記第２レンズの外径より大きく、前記遮光部材は、前記第１レンズに当接する第１支持部と、前記第２レンズに当接する第２支持部と、前記鏡筒に当接する接続部とを備え、前記接続部は、前記第１支持部と前記第２支持部にそれぞれ接続され、前記第１レンズは、前記第１支持部を押し付けて、第２支持部を、前記第２レンズに近づく方向に向かって移動させることにより、前記第２支持部は前記第２レンズを押し付ける。
【０００６】
本発明の実施形態は、従来技術に対して、前記遮光部材の前記第１支持部が前記第１レンズに当接し、前記第２支持部が前記第２レンズに当接し、前記接続部が前記鏡筒に当接することにより、前記第１レンズと前記第２レンズが直接に接触することがなく、前記第１レンズが前記第１支持部を押し付けると、前記第２支持部を、前記第２レンズに近づく方向に向かって移動させ、そして前記第２支持部が前記第２レンズを押し付ける。前記遮光部材には、２つのレンズに当接可能な支持部がそれぞれ設けられており、前記第１レンズと第２レンズとの間の寸法差が遮光部材の２つの支持部で補われることによって、前記第１レンズが遮光部材を介して前記第２レンズと間接的に接触することができると共に、前記第１支持部の受けた圧力が接続部によって前記第２支持部に伝達されてモーメント作用を生じさせ、固定効果を達成することができ、レンズの内部構造の安定性を向上させる。
【０００７】
また、前記第２支持部は、前記接続部に接続された傾斜部と、前記第２レンズに密着する水平部とを備え、前記傾斜部は、前記接続部から物体側に近づく方向に向かって光軸に対して傾斜延在し、前記水平部は、前記傾斜部から、光軸に近づく方向であって光軸に垂直な方向に向かって延在し、前記第１支持部は、前記接続部の前記傾斜部より離れた側から光軸に向かって延在している。このように構成すると、レンズの尺寸差が、光軸方向に垂直な方向における傾斜部のスパンによって補われることができ、隣接レンズの当接押圧ができるようになる。
【０００８】
また、前記第１支持部は、物体側に近い第１物体側面と、前記第１物体側面と対向して設けられ、像側に近い第１像側面と、前記第１物体側面の光軸に近接する縁から光軸に近づく方向に向かって前記第１像側面まで傾斜延在する第１接続面とを備える。第１接続面が入射光の方向に斜めに向かうようにすることによって、第１接続面に入射された光が結像領域より離れた方向に反射されることができ、一部の迷光がレンズモジュールの結像領域に直接に入射することを避けて、結像の品質を向上させる。
【０００９】
また、前記水平部は、物体側に近い第２物体側面と、前記第２物体側面に対向して設けられ、像側に近い第２像側面と、第２物体側面の光軸に近接する縁から光軸に近づく方向に向かって前記第２像側面まで傾斜延在する第２接続面とを備える。
【００１０】
また、前記第１支持部と前記第１レンズとの接触面積は、前記第２支持部と前記第２レンズとの接触面積より大きい。
【００１１】
また、前記第２支持部は、前記接続部に接続される傾斜部であり、前記傾斜部は、前記接続部から物体側に近づく方向に向かって光軸に対して傾斜延在し、前記第１支持部は、前記接続部の前記傾斜部に近接する交差箇所から像側に向かって延在している。
【００１２】
また、前記接続部は、リング状を呈している。
【００１３】
また、前記第１支持部及び前記第２支持部は、リング状を呈している。
【００１４】
また、前記遮光部材は、黒化処理された遮光部材である。黒化処理された遮光部材は、光エネルギーの吸収効果が一層良好になる。
【００１５】
また、前記遮光部材の材質は、金属である。材質が金属である遮光部材は、構造の強度がより良好であり、より良い耐久性を有する。
【図面の簡単な説明】
【００１６】
【図１】本発明の第１実施形態に係るレンズモジュールの断面構成模式図である。
【図２】図１に示すレンズモジュールのＡ部における局所拡大構成模式図である。
【図３】本発明の第２実施形態に係るレンズモジュールの断面構成模式図である。
【発明を実施するための形態】
【００１７】
本発明の目的、解決手段及びメリットがより明瞭になるように、本発明の各実施形態を図面を参照しながら以下に詳細に説明する。しかし、本発明の各実施形態において、本発明が良く理解されるように多くの技術的詳細が提出されたが、それらの技術的詳細および以下の各実施形態に基づく各種の変化及び修正が存在しなくとも、本発明の保護しようとするものを実現可能であることは、当業者に理解されるべきである。
【００１８】
図１に示すように、本発明の第１実施形態は、レンズモジュール１００に関する。
【００１９】
このレンズモジュール１００は、鏡筒１１と、像側から物体側へ順次に鏡筒１１に収容された第１レンズ１２と遮光部材１３と第２レンズ１４とを備える。第１レンズ１２の外径は、第２レンズ１４の外径より大きい。遮光部材１３は、第１レンズ１２に当接する第１支持部１３０と、第２レンズ１４に当接する第２支持部１３１と、鏡筒１１に当接する接続部１３２とを備える。接続１３２は、第１支持部１３０と第２支持部１３１にそれぞれ接続され、第１レンズ１２は、第１支持部１３０を押し付けて、第２支持部１３１を、第２レンズ１４に近づく方向に向かって移動させることにより、第２支持部１３１は、第２レンズ１４を押し付ける。
【００２０】
本発明の実施形態は、従来技術に対して、第１レンズ１２は第１支持部１３０に当接し、第２レンズ１４は第２支持部１３１に当接し、接続部１３２は鏡筒１１に当接している。このように構成すると、第１レンズ１２と第２レンズ１４が直接に接触することがなく、第１レンズ１２が第１支持部１３０を押し付けると、第２支持部１３１を、第２レンズ１４に近づく方向に向かって移動させ、そして第２支持部１３１が第２レンズ１４を押し付ける。遮光部材１３には２つのレンズに当接可能な第１支持部１３０と第２支持部１３１がそれぞれ設けられていることによって、第１レンズ１２と第２レンズ１４との間の寸法差が補われ、第１レンズ１２が遮光部材１３を介して第２レンズ１４と間接的に接触することができると共に、第１支持部１３０の受けた圧力が接続部１３２によって第２支持部１３１に伝達されてモーメント作用を生じさせ、固定効果を達成することができ、レンズの内部構造の安定性を向上させる。前記第１支持部１３０は前記第１レンズ１２の物体側面に密着しており、前記第２支持部１３１は前記第２レンズ１４の像側面に密着している。
【００２１】
以下、本実施形態に係るレンズモジュール１００の詳細について、具体的に説明する。下記の内容は、理解を簡単にするために提供されたものであり、本技術案を実施するのに必須なものではない。
【００２２】
本実施形態において、第１支持部１３０は、物体側に近い第１物体側面１３０１と、第１物体側面１３０１と対向して設けられ、像側に近い第１像側面１３０２と、第１物体側面１３０１の光軸ＯＯ´に近接する縁から光軸ＯＯ´に近づく方向に向かって第１像側面１３０２まで傾斜延在する第１接続面１３０３とを備える。レンズモジュール１００の外部から多くの入射光がレンズモジュール１００の内部に入射するため、本実施形態では、第１接続面１３０３が第１物体側面１３０１の光軸ＯＯ´に近接する縁から光軸ＯＯ´に近づく方向に向かって第１像側面１３０２まで傾斜延在するように構成されることによって、第１接続面１３０３が入射光の方向に斜めに向かうようにすることができる。これによって、第１接続面１３０３に入射された光を結像領域から離れた方向に反射することができ、一部の迷光がレンズモジュール１００の結像領域に直接に入射することが避けられ、結像の品質を向上させる。
【００２３】
なお、第２支持部１３１は、接続部１３２に接続された傾斜部１３１０と、第２レンズ１４に密着する水平部１３１１とを備え、傾斜部１３１０は、接続部１３２から物体側に近づく方向に向かって光軸ＯＯ´に対して傾斜延在しており、水平部１３１１は、傾斜部１３１０から、光軸ＯＯ´に近づく方向であって光軸ＯＯ´に垂直な方向に向かって延在しており、第１支持部１３０は、接続部１３２の傾斜部１３１０より離れた側から像側に向かって延在している。このように構成すると、レンズの尺寸差が光軸方向に垂直な方向における傾斜部のスパンによって補われることができ、隣接レンズの当接押圧ができるようになる。なお、遮光部材１３には光軸ＯＯ´の方向に向かう開口が形成されているため、レンズモジュール１００の外部からレンズモジュール１００の内部に入射される光が遮光部材１３の箇所に入射する際に、この開口から遮光部材１３の第１支持部１３０と第２支持部１３１の間に入射することができ、そして第１支持部１３０と第２支持部１３１の間に複数回反射され、光が反射されるたびに、一部の光エネルギーが反射面に吸収される。したがって、このような構造では、遮光部材１３での反射迷光を大幅に弱めることができ、レンズモジュール１００内部の迷光反射現象が弱化され、結像の品質を効果的に向上させる。
【００２４】
また、図２に示すように、水平部１３１１は、物体側に近い第２物体側面１３１１Ａと、第２物体側面１３１１Ａに対向して設けられ、像側に近い第２像側面１３１１Ｂと、第２物体側面１３１１Ａの光軸ＯＯ´に近接する縁から光軸ＯＯ´に近づく方向に向かって第２像側面１３１１Ｂまで傾斜延在する第２接続面１３１１Ｃとを備える。第２接続面１３１１Ｃが第２物体側面１３１１Ａの光軸ＯＯ´に近接する縁から光軸ＯＯ´の方向に向かって第２像側面１３１１Ｂまで傾斜延在するように構成されることによって、第２接続面１３１１Ｃが入射光の方向に斜めに向かうようにすることができる。これによって、第２接続面１３１１Ｃに入射された光の一部が直接にレンズモジュール１００の結像領域まで反射されることを避けることができる。また、第２接続面１３１１Ｃに入射された光を第１支持部１３０と第２支持部１３１の間に反射させ、光を遮光部材１３において複数回反射させることによって、反射光の光エネルギーを弱めて、結像の品質を向上させることもできる。
【００２５】
理解されるように、上記の第１接続面１３０３及び第２接続面１３１１Ｃの傾斜角度は、可能な範囲で変更可能である。図２に示すように、本実施形態では、第１接続面１３０３と光軸ＯＯ´との間の角度の変化範囲は、０°から９０°まで（０°を含み、９０°を含まない）の範囲である。なお、第１接続面１３０３及び第２接続面１３１１Ｃの傾斜角度が０°であるとき、第１接続面１３０３及び第２接続面１３１１Ｃは光軸と平行である。なお、第２接続面１３１１Ｃの角度設定は、第１接続面１３０３の角度設定と類似するため、ここで、詳細な説明は省略する。また、第１接続面１３０３と光軸ＯＯ´との間のなす角の角度は、第２接続面１３１１Ｃと光軸ＯＯ´との間のなす角の角度とは、同じであってもよく、異なっていてもよいが、具体的には実際の要求に応じて角度を選択するとよい。
【００２６】
なお、光の反射面は光エネルギーを吸収する機能を有し、深い色、例えばグレー、ネイビー、黒等の表面は、光をより強く吸収することができ、そのうち、黒は、光エネルギーを最もよく吸収するものである。したがって、本実施形態では、遮光部材３を黒色にすることが好ましい。第１支持部１３０と第２支持部１３１との間に光が入射して反射が複数回発生すると、反射された光が黒色の遮光部材３によってより多く吸収され、反射迷光の弱化により有利である。
【００２７】
遮光部材３の材質としては、様々なものがあり、プラスチックであってもよく、金属であってもよい。本実施形態では、遮光部材３に金属材質が用いられており、材質が金属である遮光部材３は、構造の強度がより良好であり、より良い耐久性を有する。
【００２８】
また、本実施形態では、第１支持部１３０と第１レンズ１２との接触面積は、第２支持部１３１と第２レンズ１４との接触面積より大きい。理解されるように、レンズサイズの変化に伴って支持領域の面積が変化し、外径の大きいレンズ支持領域の面積が大きく、外径の小さいレンズ支持領域の面積が小さいこととなる。こうして設計すると、レンズの大きさによって、支持部の当接面積をできるだけ大きくすることができ、同じ押圧力でレンズが支持部から受けた圧力を低減させて、レンズと支持部との接触面積が小さ過ぎることによって、押圧力を受けるとき、レンズが破損することを回避し、レンズモジュール１００の信頼性を向上させることができる。
【００２９】
本発明の第２実施形態はレンズモジュール２００に関する。第２実施形態は、第１実施形態と略同じであり、主な相違点は、下記の通りである。
【００３０】
第１実施形態では、第２支持部１３１は、接続部１３２に接続された傾斜部１３１０と第２レンズ１４に密着する水平部１３１１とを備え、傾斜部１３１０は、接続部１３２から物体側に近づく方向に向かって光軸ＯＯ´に対して傾斜延在しており、水平部１３１１は、傾斜部１３１０から光軸ＯＯ´に近づく方向であって光軸ＯＯ´に垂直な方向に向かって延在しており、第１支持部１３０は、接続部１３２の傾斜部１３１０より離れた側から像側に向かって延在している。
【００３１】
本発明の第２実施形態では、図３に示すように、第２支持部２３１は接続部２３２に接続された傾斜部であり、傾斜部２３１は、接続部２３２から物体側に近づく方向に向かって光軸ＯＯ´に対して傾斜延在しており、第１支持部２３０は、接続部２３２の傾斜部２３１に近接する交差箇所から光軸に向かって延在しており、前記第１支持部２３０は前記第１レンズ２２の物体側面に密着しており、前記第２支持部２３１は前記第２レンズ２４の像側面に密着している。前記接続部２３２と前記第１レンズ２２の間に隙間２３４が形成されている。
【００３２】
以下、本実施形態に係るレンズモジュール２００の詳細について、具体的に説明する。下記の内容は、理解を簡単にするために提供されたものであり、本技術案を実施するのに必須なものではない。
【００３３】
本実施形態では、接続部２３２は、リンク状構造であってもよく、第１支持部２３０及び第２支持部２３１も、リンク状構造であってもよい。また、当業者にとっては、第２実施形態が第１実施形態と同様の有益な効果を達成できることを理解することができる。
【００３４】
当業者であれば分かるように、上記各実施形態が本発明を実現するための具体的な実施形態であり、実際の応用において、本発明の要旨と範囲から逸脱しない限り、形式及び詳細に対する各種の変更は可能である。
【図１】
2019139217.tif 000003
【図２】
2019139217.tif 000004
【図３】
2019139217.tif 000005